【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
利用者の資金を、電子マネーとして使用しない分の第１の口座と、前記電子マネーとして使用する分の第２の口座とに区別して管理している電子マネー管理装置に対して、前記第１の口座と前記第２の口座との間における資金移動申請を送信し、前記電子マネー管理装置から前記資金移動申請にかかる移動資金のデータを受信する通信部と、
前記第２の口座の残高に対応する前記電子マネーの残高データを記憶する記憶部と、
前記通信部が前記移動資金のデータを受信した場合、前記記憶部に記憶されている前記電子マネーの残高データを前記移動資金のデータに基づいて更新する制御部と
を備える電子機器。
【請求項２】
前記制御部は、前記通信部が前記第２の口座からの出金による資金移動にかかる前記資金移動申請を送信する場合、前記記憶部に記憶されている前記電子マネーの残高データが示す残高を前記資金移動の限度額として設定する
請求項１記載の電子機器。
【請求項３】
通信部、記憶部、および制御部を有する電子機器において、
前記通信部が、利用者の資金を、電子マネーとして使用しない分の第１の口座と、前記電子マネーとして使用する分の第２の口座とに区別して管理している電子マネー管理装置に対して、前記第１の口座と前記第２の口座との間における資金移動申請を送信し、前記電子マネー管理装置から前記資金移動申請にかかる移動資金のデータを受信し、
前記移動資金のデータが受信された場合、前記制御部が、前記記憶部に記憶されている前記第２の口座の残高に対応する前記電子マネーの残高データを前記移動資金のデータに基づいて更新する
電子マネー管理方法。
【請求項４】
利用者の資金を、電子マネーとして使用しない分の第１の口座と、前記電子マネーとして使用する分の第２の口座とに区別して管理している電子マネー管理装置に対して、前記第１の口座と前記第２の口座との間における資金移動申請を送信し、前記電子マネー管理装置から前記資金移動申請にかかる移動資金のデータを受信し、
前記移動資金のデータが受信された場合、記憶されている前記第２の口座の残高に対応する前記電子マネーの残高データを前記移動資金のデータに基づいて更新する
処理をコンピュータに実行させるプログラム。
【請求項５】
利用者の資金を、電子マネーとして使用しない分の第１の口座と、前記電子マネーとして使用する分の第２の口座とに区別して管理する記憶部と、
前記電子マネーの残高データを記憶した外部機器から入金の指示を受けた場合、指示された入金額を前記第１の口座から前記第２の口座に振り替えた後、前記外部機器に対して前記電子マネーの残高データを前記入金額の分だけ増加させるための口座振替完了通知を送信する制御部と
を備える電子マネー管理装置。
【請求項６】
前記制御部は、前記外部機器から出金の指示を受けた場合、指示された出金額を前記第２の口座から前記第１の口座に振り替えた後、前記外部機器に対して前記電子マネーの残高データを前記出金額の分だけ減少させるための口座振替完了通知を送信する
請求項５に記載の電子マネー管理装置。
【請求項７】
前記制御部は、第１の利用者の前記外部機器から移動金額と移動先である第２の利用者との情報を受信した場合、前記移動金額を前記第１の利用者の前記第２の口座から前記第２の利用者の前記第２の口座に振り替えた後、前記第１の利用者の前記外部機器に対して前記電子マネーの残高データを前記移動金額の分だけ減少させるための口座振替完了通知を送信する
請求項６に記載の電子マネー管理装置。
【請求項８】
前記制御部は、前記移動金額を前記第１の利用者の前記第２の口座から前記第２の利用者の前記第２の口座に振り替えた後、前記第２の利用者の前記外部機器に対して前記電子マネーの残高データを前記移動金額の分だけ増加させるための口座振替完了通知を送信する
請求項７に記載の電子マネー管理装置。
【請求項９】
前記制御部は、前記第２の口座の金額に対して付与された利息を、前記第１の口座に振り込む
請求項５に記載の電子マネー管理装置。
【請求項１０】
利用者の資金を、電子マネーとして使用しない分の第１の口座と、前記電子マネーとして使用する分の第２の口座とに区別して管理する記憶部と、
前記電子マネーの残高データを記憶した第１の利用者の外部機器から、第２の利用者からの資金移動を承認する指示を受けた場合、指示された移動金額を前記第１の利用者の前記第２の口座に振り替えた後、前記第１の利用者の前記外部機器に対して前記電子マネーの残高データを前記移動金額の分だけ増加させるための口座振替完了通知を送信する制御部と
を備える電子マネー管理装置。
【請求項１１】
記憶部および制御部を有する電子マネー管理装置において、
前記記憶部が、利用者の資金を、電子マネーとして使用しない分の第１の口座と、前記電子マネーとして使用する分の第２の口座とに区別して管理し、
前記制御部が、前記電子マネーの残高データを記憶した外部機器から入金の指示を受けた場合、指示された入金額を前記第１の口座から前記第２の口座に振り替えた後、前記外部機器に対して前記電子マネーの残高データを前記入金額の分だけ増加させるための口座振替完了通知を送信する
電子マネー管理方法。
【請求項１２】
利用者の資金を、電子マネーとして使用しない分の第１の口座と、前記電子マネーとして使用する分の第２の口座とに区別して管理し、
前記電子マネーの残高データを記憶した外部機器から入金の指示を受けた場合、指示された入金額を前記第１の口座から前記第２の口座に振り替えた後、前記外部機器に対して前記電子マネーの残高データを前記入金額の分だけ増加させるための口座振替完了通知を送信する
処理をコンピュータに実行させるプログラム。
【請求項１３】
口座管理装置および電子マネー管理装置を含む電子マネー管理システムであって、
前記口座管理装置は、利用者の口座を、電子マネーとして使用しない分を管理する第１の口座と、前記電子マネーとして使用する分を管理する第２の口座とに区別して記憶し、
前記電子マネー管理装置は、加盟店端末から前記利用者の前記電子マネーによる購入金額に対する振込みの要求を受けた場合、前記口座管理装置に前記購入金額の振り込みを要求し、
前記口座管理装置は、前記電子マネー管理装置から前記購入金額の振り込みの要求を受けた場合、前記第２の口座から前記購入金額を、前記電子マネー管理装置の管理者の口座に振り込み、
前記電子マネー管理装置は、前記口座管理装置から、前記電子マネー管理装置の管理者の口座への振り込み完了の通知を受けた場合、前記加盟店端末の管理者の口座に前記購入金額の振込を行う
電子マネー管理システム。
【請求項１４】
口座管理装置および電子マネー管理装置を含む電子マネー管理システムにおいて、
前記口座管理装置が、利用者の口座を、電子マネーとして使用しない分を管理する第１の口座と、前記電子マネーとして使用する分を管理する第２の口座とに区別して記憶し、
前記電子マネー管理装置が、加盟店端末から前記利用者の前記電子マネーによる購入金額に対する振込みの要求を受けた場合、前記口座管理装置に前記購入金額の振り込みを要求し、
前記口座管理装置が、前記電子マネー管理装置から前記購入金額の振り込みの要求を受けた場合、前記第２の口座から前記購入金額を、前記電子マネー管理装置の管理者の口座に振り込み、
前記電子マネー管理装置は、前記口座管理装置から、前記電子マネー管理装置の管理者の口座への振り込み完了の通知を受けた場合、前記加盟店端末の管理者の口座に前記購入金額の振込を行う
電子マネー管理方法。
【手続補正２】
【補正対象書類名】明細書
【補正対象項目名】０００８
【補正方法】変更
【補正の内容】
【０００８】
本発明の一側面は、利用者の資金を、電子マネーとして使用しない分の第１の口座と、電子マネーとして使用する分の第２の口座とに区別して管理している電子マネー管理装置に対して、第１の口座と第２の口座との間における資金移動申請を送信し、電子マネー管理装置から資金移動申請にかかる移動資金のデータを受信する通信部と、第２の口座の残高に対応する電子マネーの残高データを記憶する記憶部と、通信部が移動資金のデータを受信した場合、記憶部に記憶されている電子マネーの残高データを移動資金のデータに基づいて更新する制御部とを備える電子機器である。
【手続補正３】
【補正対象書類名】明細書
【補正対象項目名】０００９
【補正方法】変更
【補正の内容】
【０００９】
本発明の他の側面は、利用者の資金を、電子マネーとして使用しない分の第１の口座と、電子マネーとして使用する分の第２の口座とに区別して管理する記憶部と、電子マネーの残高データを記憶した外部機器から入金の指示を受けた場合、指示された入金額を第１の口座から第２の口座に振り替えた後、外部機器に対して電子マネーの残高データを入金額の分だけ増加させるための口座振替完了通知を送信する制御部とを備える電子マネー管理装置である。
【手続補正４】
【補正対象書類名】明細書
【補正対象項目名】００１０
【補正方法】変更
【補正の内容】
【００１０】
さらに本発明の他の側面は、口座管理装置および電子マネー管理装置を含む電子マネー管理システムであって、口座管理装置は、利用者の口座を、電子マネーとして使用しない分を管理する第１の口座と、電子マネーとして使用する分を管理する第２の口座とに区別して記憶し、電子マネー管理装置は、加盟店端末から利用者の電子マネーによる購入金額に対する振込みの要求を受けた場合、口座管理装置に購入金額の振り込みを要求し、口座管理装置は、電子マネー管理装置から購入金額の振り込みの要求を受けた場合、第２の口座から購入金額を、電子マネー管理装置の管理者の口座に振り込み、電子マネー管理装置は、口座管理装置から、電子マネー管理装置の管理者の口座への振り込み完了の通知を受けた場合、加盟店端末の管理者の口座に購入金額の振込を行う電子マネー管理システムである。
【手続補正５】
【補正対象書類名】明細書
【補正対象項目名】００１１
【補正方法】変更
【補正の内容】
【００１１】
本発明の一側面においては、通信部が、利用者の資金を、電子マネーとして使用しない分の第１の口座と、電子マネーとして使用する分の第２の口座とに区別して管理している電子マネー管理装置に対して、第１の口座と第２の口座との間における資金移動申請を送信し、電子マネー管理装置から資金移動申請にかかる移動資金のデータを受信し、移動資金のデータが受信された場合、制御部が、記憶部に記憶されている第２の口座の残高に対応する電子マネーの残高データを移動資金のデータに基づいて更新する。
【手続補正６】
【補正対象書類名】明細書
【補正対象項目名】００１２
【補正方法】変更
【補正の内容】
【００１２】
本発明の他の側面においては、記憶部が、利用者の資金を、電子マネーとして使用しない分の第１の口座と、電子マネーとして使用する分の第２の口座とに区別して管理し、制御部が、電子マネーの残高データを記憶した外部機器から入金の指示を受けた場合、指示された入金額を第１の口座から第２の口座に振り替えた後、外部機器に対して電子マネーの残高データを入金額の分だけ増加させるための口座振替完了通知を送信する。
【手続補正７】
【補正対象書類名】明細書
【補正対象項目名】００１３
【補正方法】変更
【補正の内容】
【００１３】
さらに本発明の他の側面においては、口座管理装置が、利用者の口座を、電子マネーとして使用しない分を管理する第１の口座と、電子マネーとして使用する分を管理する第２の口座とに区別して記憶し、電子マネー管理装置が、加盟店端末から利用者の電子マネーによる購入金額に対する振込みの要求を受けた場合、口座管理装置に購入金額の振り込みを要求し、口座管理装置が、電子マネー管理装置から購入金額の振り込みの要求を受けた場合、第２の口座から購入金額を、電子マネー管理装置の管理者の口座に振り込み、電子マネー管理装置は、口座管理装置から、電子マネー管理装置の管理者の口座への振り込み完了の通知を受けた場合、加盟店端末の管理者の口座に購入金額の振込を行う。